(57)【要約】【課題】適切な終端特性の終端回路を設定することができる通信装置を提供することを目的としている。【解決手段】Ｖ．３４モデムのプロービング期間における受信信号のエネルギーを検出して終端条件のアンマッチを判定しているので、終端のアンマッチによる特性劣化が防げ通信特性を向上できるという効果を得る。【選択図】          図２
2004282408.tif 000002
【特許請求の範囲】
【請求項１】
アナログ公衆網を通信路として用いる通信装置において、
終端特性の異なる複数の終端回路を備えた網制御装置と、
データ通信のためのモデム手段と、
上記モデム手段が通信開始前に行うプロービング期間における受信信号のエネルギーを検出するエネルギー検出手段を備え、
上記エネルギー検出手段の検出結果に基づいて、上記網制御装置で使用している上記終端回路のマッチングを判定し、その判定結果に基づいて、使用する上記終端回路を切り換えた後に、通信動作を行うことを特徴とする通信装置。
【請求項２】
アナログ公衆網を通信路として用いる通信装置において、
終端特性の異なる複数の終端回路を備えた網制御装置と、
データ通信のためのモデム手段と、
上記モデム手段が通信開始前に行うプロービング期間における受信信号のエネルギーを検出するエネルギー検出手段を備え、
上記エネルギー検出手段の検出結果に基づいて、上記網制御装置で使用している上記終端回路のマッチングを判定し、その判定結果に基づいて、データ通信手順における再送動作が行われたときに、使用する上記終端回路を切り換えることを特徴とする通信装置。
【請求項３】
アナログ公衆網を通信路として用いる通信装置において、
終端特性の異なる複数の終端回路を備えた網制御装置と、
データ通信のためのモデム手段と、
上記モデム手段が通信開始前に行うプロービング期間における受信信号のエネルギーを検出するエネルギー検出手段を備え、
上記エネルギー検出手段の検出結果に基づいて、上記網制御装置で使用している上記終端回路のマッチングを判定し、その判定結果に基づいて、使用する上記終端回路を切り換えた後に、通信動作を行うとともに、その後は、その使用する上記終端回路を保持することを特徴とする通信装置。
【請求項４】
アナログ公衆網を通信路として用いる通信装置において、
終端特性の異なる複数の終端回路を備えた網制御装置と、
データ通信のためのモデム手段と、
上記モデム手段が通信開始前に行うプロービング期間における受信信号のエネルギーを検出するエネルギー検出手段と、
上記終端回路の終端特性の切り換えマスク条件を記憶した終端特性切換マスク条件記憶手段を備え、
上記エネルギー検出手段の検出結果に基づいて、上記網制御装置で使用している上記終端回路のマッチングを判定し、上記終端特性切換マスク条件記憶手段が記憶しているマスク条件が成立しない場合に限り、その判定結果に基づいて、使用する上記終端回路を切り換えた後に、通信動作を行うことを特徴とする通信装置。
【発明の詳細な説明】
【０００１】
【発明の属する技術分野】
本発明は、アナログ公衆網を通信路として用いる通信装置に関する。
【０００２】
【従来の技術】
例えば、欧州では、今まで国毎に異なっていたアナログ公衆網における通信認可が最近統合された。しかし、交換器や環境は従来認可に適合したものが存在すると考えられる。
【０００３】
このように複数認可に適合した交換機等が存在する場合、一番影響されるのは、接続する端末の終端特性である。特に、高速なモデム通信が必要となるＩＴＵ−Ｔ勧告Ｖ．３４モデムを利用するファクシミリ装置では、適切な終端回路を設定しないとデータエラーが頻発する等の事態が発生し、高速な通信を行えなくなる。
【０００４】
そこで、例えば、信号送信時の回り込み信号の信号レベルを測定し信号のレベル差を算出することで終端回路のインピーダンスを設定している。
【０００５】
【特許文献１】
特開平２００２−１９０９３０号公報
【０００６】
【発明が解決しようとする課題】
しかしながら、このような従来装置では、周波数特性を把握するのは困難であり、適切な終端回路を設定することができないという事態を生じる。
【０００７】
本発明は、かかる実情に鑑みてなされたものであり、適切な終端特性の終端回路を設定することができる通信装置を提供することを目的としている。
【０００８】
【課題を解決するための手段】
本発明は、アナログ公衆網を通信路として用いる通信装置において、終端特性の異なる複数の終端回路を備えた網制御装置と、データ通信のためのモデム手段と、上記モデム手段が通信開始前に行うプロービング期間における受信信号のエネルギーを検出するエネルギー検出手段を備え、上記エネルギー検出手段の検出結果に基づいて、上記網制御装置で使用している上記終端回路のマッチングを判定し、その判定結果に基づいて、使用する上記終端回路を切り換えた後に、通信動作を行うようにしたものである。
【０００９】
また、アナログ公衆網を通信路として用いる通信装置において、終端特性の異なる複数の終端回路を備えた網制御装置と、データ通信のためのモデム手段と、上記モデム手段が通信開始前に行うプロービング期間における受信信号のエネルギーを検出するエネルギー検出手段を備え、上記エネルギー検出手段の検出結果に基づいて、上記網制御装置で使用している上記終端回路のマッチングを判定し、その判定結果に基づいて、データ通信手順における再送動作が行われたときに、使用する上記終端回路を切り換えるようにしたものである。
【００１０】
また、アナログ公衆網を通信路として用いる通信装置において、終端特性の異なる複数の終端回路を備えた網制御装置と、データ通信のためのモデム手段と、上記モデム手段が通信開始前に行うプロービング期間における受信信号のエネルギーを検出するエネルギー検出手段を備え、上記エネルギー検出手段の検出結果に基づいて、上記網制御装置で使用している上記終端回路のマッチングを判定し、その判定結果に基づいて、使用する上記終端回路を切り換えた後に、通信動作を行うとともに、その後は、その使用する上記終端回路を保持するようにしたものである。
【００１１】
また、アナログ公衆網を通信路として用いる通信装置において、終端特性の異なる複数の終端回路を備えた網制御装置と、データ通信のためのモデム手段と、上記モデム手段が通信開始前に行うプロービング期間における受信信号のエネルギーを検出するエネルギー検出手段と、上記終端回路の終端特性の切り換えマスク条件を記憶した終端特性切換マスク条件記憶手段を備え、上記エネルギー検出手段の検出結果に基づいて、上記網制御装置で使用している上記終端回路のマッチングを判定し、上記終端特性切換マスク条件記憶手段が記憶しているマスク条件が成立しない場合に限り、その判定結果に基づいて、使用する上記終端回路を切り換えた後に、通信動作を行うようにしたものである。
【００１２】
【発明の実施の形態】
以下、添付図面を参照しながら、本発明の実施の形態を詳細に説明する。
【００１３】
図１は、本発明の一実施例にかかるグループ３ファクシミリ装置を示している。
【００１４】
同図において、システム制御部１は、このグループ３ファクシミリ装置の各部の制御処理等を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１５】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１６】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１７】
通信制御部１０は、接続されている交換機の終端特性を判定するとともに、所定のグループ３ファクシミリ伝送手順を行って、相手端末との間で画情報をやりとりするための通信制御を実現するものであり、グループ３ファクシミリモデム１１は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１８】
網制御装置１２は、このグループ３ファクシミリ装置をアナログ公衆網ＰＳＴＮに接続するためのものであり、自動発着信機能を備えているとともに、特性が異なる複数の終端回路を備え、この複数の終端回路のうち、１つを選択して適用するようにしている。この終端回路の選択制御は、通信制御部１０によりなされる。
【００１９】
エネルギー検出部１３は、グループ３ファクシミリモデム１１がＶ．３４モデム機能を実現するとき、そのプロービング期間における受信信号のエネルギーを検出するものであり、その検出結果は、通信制御部１０に出力されている。
【００２０】
これらの、システム制御部１、システムメモリ２、パラメータメモリ３、時計回路４、スキャナ５、プロッタ６、操作表示部７、符号化復号化部８、画像蓄積装置９、および、通信制御部１０は、内部バス１４に接続されており、これらの各要素間でのデータのやりとりは、主としてこの内部バス１４を介して行われている。
【００２１】
また、通信制御部１０とグループ３ファクシミリモデム１１、網制御装置１２、および、エネルギー検出部１３との間のデータのやりとりは、直接行なわれている。
【００２２】
ここで、通信制御部１０には、図２に示すように、終端特性の切換動作を常時行うかあるいは再送動作時のみ行うかを指定するための終端切換モード情報（常時／再送時）、および、終端特性の切換動作を行わない国であるかを指定するための国コードを登録した終端切換マスク条件情報が記憶される。通常は、終端条件の切換により、認可を満たさなくなってしまうような国の国コードが設定される。なお、終端切換マスク条件情報には、有意な情報が登録されない場合もある。
【００２３】
また、通信制御部１０は、現在判別している終端特性を保持していて、通信開始時には、その保持している終端特性に応じて、網制御装置１２に使用する終端回路を設定するようにしている。
【００２４】
また、網制御装置１２が備える複数の終端回路の一例を図３（ａ），（ｂ）に示す。同図（ａ）は、１つの抵抗器Ｒ０から構成される終端回路Ａであり、同図（ｂ）は、抵抗器Ｒ１に、抵抗器Ｒ２とコンデンサＣ１の並列回路を直列接続してなる複合型の終端回路Ｂである。
【００２５】
そして、終端回路Ａおよび終端回路Ｂのインピーダンス特性は、同図（ｃ）に示したようなものとなる。なお、終端回路Ｂの抵抗器Ｒ１，Ｒ２およびコンデンサＣ１の回路定数は、仕向国に応じた値を設定する必要がある。
【００２６】
以上の構成で、グループ３ファクシミリモデム１１がＶ．３４機能を使用して通信する場合、通信制御部１０は、図４に示すような処理を行って、網制御装置１２の終端回路の切換を行う。
【００２７】
まず、着信すると（処理１０１）、グループ３ファクシミリモデム１１のプロービング期間の各周波数におけるエネルギーをエネルギー検出部１３より入力し（処理１０２）、そのときの終端回路が、アナログ公衆網の終端特性にマッチングしているかどうかを調べる（処理１０３、判断１０４）。
【００２８】
アンマッチしていると判定した場合で、判断１０４の結果がＹＥＳになるときには、終端切換マスク条件情報に情報が登録されているかどうかを調べ（判断１０５）、判断１０５の結果がＹＥＳになるときには、設置時に自端末に登録される国コードを調べて、マスク条件が成立するかどうかを調べる（判断１０６）。
【００２９】
判断１０６の結果がＮＯになるときには、終端切換モード情報を調べて、再送時のみに設定されているかどうかを調べ（判断１０７）、判断１０７の結果がＮＯになるときには、網制御装置１２の終端回路を切換える（処理１０８）。
【００３０】
次いで、データ受信を開始し（処理１０９）、受信終了するまで待つ（判断１１０のＮＯループ）。そして、受信動作を終了して、判断１１０の結果がＹＥＳになると、そのときの終端条件を保持して（処理１１１）、このときの動作を終了する。
【００３１】
また、判断１０７の結果がＹＥＳになるとき、判断１０６の結果がＹＥＳになるとき、および、判断１０４の結果がＮＯになるときには、最初の終端条件の設定内容でデータ受信を開始し（処理１１２）、受信終了するまでの間に、再送動作が行われるかどうかを監視する（判断１１３，１１５のＮＯループ）。
【００３２】
再送動作が発生した場合で、判断１１３の結果がＹＥＳになるときには、網制御装置１２の終端回路を切換え（処理１１４）、判断１１５へ進む。また、受信動作を終了した場合で、判断１１５の結果がＹＥＳになるときには、このときの動作を終了する。
【００３３】
このようにして、本実施例では、Ｖ．３４モデムのプロービング期間における受信信号のエネルギーを検出して終端条件のアンマッチを判定しているので、終端のアンマッチによる特性劣化が防げ通信特性を向上できる。また、再送時のみ終端回路の切換えを行うようにすることができるので、終端回路の切換えによる副作用を極力回避できる。また、終端条件を保持するようにしているので、全ての送信／受信の特性劣化が防げ通信特性を向上できる。また、終端切換マスク条件を設定することができるので、不用意に終端を切り替えた為に認可に適合しなくなることがなくなる。
【００３４】
なお、上述した実施例では、網制御装置に備える終端回路の数を２つにしているが、３つ以上の終端回路を備えることもできる。
【００３５】
また、上述した実施例では、Ｖ．３４モデム機能を備えたグループ３ファクシミリ装置について本発明を適用した場合について説明したが、それ以外の通信装置についても本発明を同様にして適用することができる。
【００３６】
【発明の効果】
以上説明したように、本発明によれば、Ｖ．３４モデムのプロービング期間における受信信号のエネルギーを検出して終端条件のアンマッチを判定しているので、終端のアンマッチによる特性劣化が防げ通信特性を向上できるという効果を得る。また、再送時のみ終端回路の切換えを行うようにすることができるので、終端回路の切換えによる副作用を極力回避できるという効果も得る。また、終端条件を保持するようにしているので、全ての送信／受信の特性劣化が防げ通信特性を向上できるという効果も得る。また、終端切換マスク条件を設定することができるので、不用意に終端を切り替えた為に認可に適合しなくなることがなくなるという効果も得る。
【図面の簡単な説明】
【図１】本発明の一実施例にかかるグループ３ファクシミリ装置を示したブロック図。
【図２】終端切換モード情報、および、終端切換マスク条件情報の一例を示した概略図。
【図３】網制御装置１２が備える複数の終端回路の一例を示したブロック図、および、それらのインピーダンス特性の一例を示したグラフ図。
【図４】グループ３ファクシミリモデム１１がＶ．３４機能を使用して通信する場合、通信制御部１０が行う終端回路の切換処理の一例を示したフローチャート。
【符号の説明】
１０  通信制御部
１１  グループ３ファクシミリモデム
１２  網制御装置
１３  エネルギー検出部
【図１】
2004282408.tif 000003
【図２】
2004282408.tif 000004
【図３】
2004282408.tif 000005
【図４】
2004282408.tif 000006